【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
シーンの画像を表示するように構成された表示装置であって、
前記表示装置の姿勢を識別する識別手段と、
所定位置から見た前記シーンを表す画像が表示される第１表示モードと、前記第１表示モードにおいて前記表示装置により受け付けられたユーザー入力により指定された位置から見た前記シーンを表す画像が表示される第２表示モードと、を含む複数の表示モードのうち適用すべき１つの表示モードを、識別された前記表示装置の姿勢に基づいて決定する決定手段と、
前記決定された表示モードを適用して前記シーンの画像を表示する表示手段と
を有することを特徴とする表示装置。
【請求項２】
前記第２表示モードで表示される前記画像は、複数の撮像装置によって異なる方向から撮像された前記シーンの複数の画像に基づいて生成された仮想視点の画像である、請求項１に記載の表示装置。
【請求項３】
前記決定手段は、前記表示装置の前記識別された姿勢と所定の姿勢との間の差異が閾値未満の場合に、前記第１表示モードを適用することを決定する、請求項１または２に記載の表示装置。
【請求項４】
前記所定の姿勢において、重力の方向は前記表示装置の表示面に対して垂直である、請求項３に記載の表示装置。
【請求項５】
タッチスクリーンを備え、前記受け付けられたユーザー入力は、前記タッチスクリーンに適用される１つ以上のジェスチャーに基づいている、請求項１乃至４のいずれか１項に記載の表示装置。
【請求項６】
前記シーン内の複数の第１のロケーションが、前記受け付けられたユーザー入力に基づいて決定される、請求項１乃至５のいずれか１項に記載の表示装置。
【請求項７】
前記第１のロケーションは、前記第２表示モードにおいて表示される画像に対応する視点のモーションを制約するのに用いられる、請求項６に記載の表示装置。
【請求項８】
前記第１のロケーションは、前記第２表示モードにおいて表示される画像に対応する視点を位置決めすることができる場所を制約するエリアを規定する、請求項６または７に記載の表示装置。
【請求項９】
前記第１のロケーションは、前記第２表示モードにおいて表示される画像に対応する視点を動かすことができる経路を規定し、該経路は、複数の点及び該複数の点の間の移行部を規定する、請求項６乃至８のいずれか１項に記載の表示装置。
【請求項１０】
前記経路は、直線、曲線、軌道のうちの少なくとも１つである、請求項９に記載の表示装置。
【請求項１１】
経路が前記シーンを視認している複数の物理カメラのロケーションを通過するように、前記シーン内の前記第１のロケーションを用いて経路を決定する経路決定手段と、
前記決定された経路に沿って前記第２表示モードにおいて表示される画像に対応する視点を動かす視点移動手段と、
を更に含む、請求項６乃至１０のいずれか１項に記載の表示装置。
【請求項１２】
前記複数の第１のロケーションの各々は、対応する視認時間に関連付けられ、該視認時間は、点の間の移行の速度を制御する、請求項６乃至１１のいずれか１項に記載の表示装置。
【請求項１３】
前記ユーザー入力によって指定された位置は、前記シーン内の被写体の位置に対応し、前記第２表示モードにおいて表示される画像に対応する視点は、前記被写体が前記シーン内を移動する際に、前記被写体に対する位置を維持するように構成される、請求項１乃至１２のいずれか１項に記載の表示装置。
【請求項１４】
前記指定された位置及び前記第２表示モードにおいて表示される画像の視点の双方が、空間成分及び時間成分を含む、請求項１乃至１３のいずれか１項に記載の表示装置。
【請求項１５】
インターフェースにおいて、前記シーン内の第２のロケーションを決定する第２のユーザー入力を検出する検出手段と、
前記第１のロケーション及び前記第２のロケーションのインジケーションを表示する表示手段と、
前記第２表示モードにおいて表示される画像に対応する視点の時間成分が全ての第１のロケーションの時間成分を超えた場合、前記第２のロケーションに従って前記視点を制御する制御手段と
を更に含む、請求項６乃至１２のいずれか１項に記載の表示装置。
【請求項１６】
前記空間成分及び前記時間成分のうちの少なくとも１つを用いてロケーションを補間する補間手段を更に含む、請求項１４に記載の表示装置。
【請求項１７】
対応する制約に基づいて、前記第１のロケーションと前記第２のロケーションとの間の移行を決定する移行決定手段を更に含む、請求項１５に記載の表示装置。
【請求項１８】
前記決定手段は、前記表示装置の前記識別された姿勢と前記所定の姿勢との間の差異が前記閾値を超える場合に、前記第２表示モードを適用することを決定する、請求項３または４に記載の表示装置。
【請求項１９】
前記第１表示モードにおいて表示される前記画像は、前記第２表示モードにおいて表示される画像に対応する視点の位置から独立に決定される前記所定位置からの前記シーンのトップダウンビューを表す、請求項１乃至１８のいずれか１項に記載の表示装置。
【請求項２０】
前記表示装置の姿勢の変化に応じて、前記第２表示モードにおいて表示される画像の視点の姿勢を変化させる、請求項１乃至１９のいずれか１項に記載の表示装置。
【請求項２１】
コンピュータを、請求項１乃至２０のいずれか1項に記載の表示装置として機能させるためのプログラム。
【請求項２２】
シーンの画像を表示するように適応されたタブレットデバイスであって、
タッチスクリーンと、
メモリと、
前記メモリ上に記憶されたコードを実行するように構成されたプロセッサであって、
前記タブレットデバイスの姿勢を識別し、
所定位置から見た前記シーンを表す画像が表示される第１表示モードと、前記第１表示モードにおいて前記タッチスクリーン上でのユーザー入力により指定された位置から見た前記シーンを表す画像が表示される第２表示モードと、を含む複数の表示モードのうち適用すべき１つの表示モードを、識別された前記タブレットデバイスの姿勢に基づいて決定し、
前記決定された表示モードを適用して前記シーンの画像を表示する
ためのコードを実行する、プロセッサと、
を備える、タブレットデバイス。
【請求項２３】
シーンの画像を表示するための表示装置を制御する方法であって、
前記表示装置の姿勢を識別する識別工程と、
所定位置から見た前記シーンを表す画像が表示される第１表示モードと、前記第１表示モードにおいて前記表示装置により受け付けられたユーザー入力により指定された位置から見た前記シーンを表す画像が表示される第２表示モードと、を含む複数の表示モードのうち適用すべき１つの表示モードを、識別された前記表示装置の姿勢に基づいて決定する決定工程と、
前記決定された表示モードを適用して前記シーンの画像を表示する表示工程と
を含む、方法。
【請求項２４】
前記第２表示モードで表示される前記画像は、複数の撮像装置によって異なる方向から撮像された前記シーンの複数の画像に基づいて生成された仮想視点の画像である、請求項２３に記載の方法。
【手続補正２】
【補正対象書類名】明細書
【補正対象項目名】００１１
【補正方法】変更
【補正の内容】
【００１１】
本開示の１つの態様によれば、シーンの画像を表示するように構成された表示装置であって、前記表示装置の姿勢を識別する識別手段と、所定位置から見た前記シーンを表す画像が表示される第１表示モードと、前記第１表示モードにおいて前記表示装置により受け付けられたユーザー入力により指定された位置から見た前記シーンを表す画像が表示される第２表示モードと、を含む複数の表示モードのうち適用すべき１つの表示モードを、識別された前記表示装置の姿勢に基づいて決定する決定手段と、前記決定された表示モードを適用して前記シーンの画像を表示する表示手段と、を有する表示装置が提供される。
【手続補正３】
【補正対象書類名】明細書
【補正対象項目名】００１４
【補正方法】変更
【補正の内容】
【００１４】
本開示の更に別の態様によれば、シーンの画像を表示するように適応されたタブレットデバイスであって、タッチスクリーンと、メモリと、前記メモリ上に記憶されたコードを実行するように構成されたプロセッサであって、前記タブレットデバイスの姿勢を識別し、所定位置から見た前記シーンを表す画像が表示される第１表示モードと、前記第１表示モードにおいて前記タッチスクリーン上でのユーザー入力により指定された位置から見た前記シーンを表す画像が表示される第２表示モードと、を含む複数の表示モードのうち適用すべき１つの表示モードを、識別された前記タブレットデバイスの姿勢に基づいて決定し、前記決定された表示モードを適用して前記シーンの画像を表示するためのコードを実行する、プロセッサと、を備える、タブレットデバイスが提供される。
【手続補正４】
【補正対象書類名】明細書
【補正対象項目名】００１５
【補正方法】変更
【補正の内容】
【００１５】
本開示の更に別の態様によれば、シーンの画像を表示するための表示装置を制御する方法であって、前記表示装置の姿勢を識別する識別工程と、所定位置から見た前記シーンを表す画像が表示される第１表示モードと、前記第１表示モードにおいて前記表示装置により受け付けられたユーザー入力により指定された位置から見た前記シーンを表す画像が表示される第２表示モードと、を含む複数の表示モードのうち適用すべき１つの表示モードを、識別された前記表示装置の姿勢に基づいて決定する決定工程と、前記決定された表示モードを適用して前記シーンの画像を表示する表示工程と、を含む、方法が提供される。